(57)【要約】【課題】通常の上面が平坦な又は切妻屋根形の、各種バリアー性が優れた紙積層材料製などの液体紙容器４０の上部開口４１に装着して、この上部開口４１の周辺の内面側と口栓本体３０の融着リングｃの上面側とを、強固に熱融着して密封する、熱融着不良が発生する恐れがない液体紙容器用の口栓を提供する。【解決手段】本発明は、天板の内面に液止めリングａを設けたネジ式のキャップ２０と、内面にプルリングｂ付の開封部３１と下部に融着リングｃとを設けて、この融着リングｃの上面側の下部外面に、上部に複数の繋止突起ｄ ,ｄ ,ｄ ,…を有する嵌合部３２を設けたネジ式の口栓本体３０と、から成る液体紙容器用の口栓において、ネジ式の口栓本体３０の嵌合部３２の外壁部分に、複数の繋止突起ｄ ,ｄ ,ｄ ,…の下部以外の外壁部分を切欠いて、複数の傾斜面ｅ ,ｅ ,ｅ ,…を設けた液体紙容器用の口栓である。【選択図】図１
2005335778.tif 000002
【特許請求の範囲】
【請求項１】
天板の内面に液止めリングａを設けたネジ式のキャップ２０と、内面にプルリングｂ付の開封部３１と下部に融着リングｃとを設けて、この融着リングｃの上面側の下部外面に、上部に複数の繋止突起ｄ ,ｄ ,ｄ ,…を有する嵌合部３２を設けたネジ式の口栓本体３０と、から成る液体紙容器用の口栓であって、通常の上面が平坦な又は切妻屋根形の、各種バリアー性が優れた紙積層材料製などの液体紙容器４０の上部開口４１に装着して、この上部開口４１の周辺の内面側と口栓本体３０の融着リングｃの上面側とを、強固に熱融着して密封する液体紙容器用の口栓において、
ネジ式の口栓本体３０の嵌合部３２の外壁部分に、複数の繋止突起ｄ ,ｄ ,ｄ ,…の下部以外の外壁部分を切欠いて、複数の傾斜面ｅ ,ｅ ,ｅ ,…を設けたことを特徴とする液体紙容器用の口栓。
【請求項２】
前記キャップにＴＥ( Tamper-Evident；不正開栓防止、以下同じ )機能２１を設けたことを特徴とする請求項１記載の液体紙容器用の口栓。
【発明の詳細な説明】
【技術分野】
【０００１】
本発明は、乳飲料やジュースや日本酒などを収容する、通常の上面が平坦な又は切妻屋根形の、各種バリアー性が優れた紙積層材料製などの液体紙容器４０の上部開口４１に装着して、この上部開口４１の周辺の内面側と口栓本体３０の融着リングｃの上面側とを、強固に熱融着して密封する、熱融着不良が発生する恐れがない液体紙容器用の口栓に関する。
【背景技術】
【０００２】
従来から、天板の内面に液止めリングａを設けたネジ式のキャップ２０と、内面にプルリングｂ付の開封部３１と下部に融着リングｃとを設けて、この融着リングｃの上面側の下部外面に、上部に複数の繋止突起( 仮セットリブと通称する、以下同じ )ｄ ,ｄ ,ｄ ,…を有する嵌合部３２を設けたネジ式の口栓本体３０と、から成る、図２Ａ ,Ｃに示す液体紙容器用の口栓であって、
乳飲料やジュースや日本酒などを収容する、図４Ａ ,Ｂに示す通常の上面が平坦な又は切妻屋根形の、各種バリアー性が優れた紙積層材料製などの液体紙容器４０の上部開口４１に、図２Ａに示すように、ネジ式の口栓本体３０の上部に複数の繋止突起ｄ ,ｄ ,ｄ ,…を有する嵌合部３２に、上部開口４１の周辺を嵌合させて装着して、この上部開口４１の周辺の内面側と口栓本体３０の融着リングｃの上面側とを、強固に熱融着して密封する液体紙容器用の口栓が、一般に広く用いられている。
【０００３】
また従来から、天板の内面に液止めリングａを設けたＴＥ機能２１付のネジ式のキャップ２０と、内面にプルリングｂ付の開封部３１と下部に融着リングｃとを設けて、この融着リングｃの上面側の下部外面に、上部に複数の繋止突起ｄ ,ｄ ,ｄ ,…を有する嵌合部３２を設けたネジ式の口栓本体３０と、から成る、図２Ｂ ,Ｃに示すＴＥ機能付の液体紙容器用の口栓であって、
同様に、乳飲料やジュースや日本酒などを収容する、図４Ａ ,Ｂに示す通常の上面が平坦な又は切妻屋根形の、各種バリアー性が優れた紙積層材料製などの液体紙容器４０の上部開口４１に、図２Ｂに示すように、ネジ式の口栓本体３０の上部に複数の繋止突起ｄ ,ｄ ,ｄ ,…を有する嵌合部３２に、上部開口４１の周辺を嵌合させて装着して、この上部開口４１の周辺の内面側と口栓本体３０の融着リングｃの上面側とを、強固に熱融着して密封するＴＥ機能付の液体紙容器用の口栓が、一般に用いられている。
【０００４】
特許文献は以下の通り。
【特許文献１】実公昭６１−７１７４号公報
【特許文献２】特開２００４−６７１７１号公報
【発明の開示】
【発明が解決しようとする課題】
【０００５】
ところが従来の、図２Ａ ,Ｃに示す液体紙容器用の口栓については、また従来の、図２Ｂ ,Ｃに示すＴＥ機能付の液体紙容器用の口栓については、乳飲料やジュースや日本酒などを収容する、図４Ａ ,Ｂに示す通常の上面が平坦な又は切妻屋根形の、各種バリアー性が優れた紙積層材料製などの液体紙容器４０の上部開口４１に、図２Ａ ,Ｂに示すように、ネジ式の口栓本体３０の上部に複数の繋止突起ｄ ,ｄ ,ｄ ,…を有する嵌合部３２に、内面側を加熱して軟化させた状態で上部開口４１の周辺を機械的に嵌合させて装着する時に、図３Ａに示すように、キャップ２０を被せた口栓本体３０と液体紙容器４０の上部開
口４１との位置合せ( センタリングと言う )が僅かにずれることが多くて、上部の複数の繋止突起ｄ ,ｄ ,ｄ ,…の部分は( 押下げて嵌合させる力が集中して上部開口４１の周辺端が僅かに変形して )無事に通過するものの、上部開口４１の周辺が浮上がった状態で嵌合して装着されることが問題であって、
この上部開口４１の浮上がった状態の周辺の内面側と口栓本体３０の融着リングｃの上面側とを、強固に熱融着して密封したとしても、図３Ａ( の右側 )に示すような熱融着不良が発生して、通常の上面が平坦な又は切妻屋根形の液体紙容器４０の液漏れなどの原因になることが多かった。
【０００６】
そこで、本発明の目的は、乳飲料やジュースや日本酒などを収容する、通常の上面が平坦な又は切妻屋根形の、各種バリアー性が優れた紙積層材料製などの液体紙容器４０の上部開口４１に、ネジ式の口栓本体３０の上部に複数の繋止突起ｄ ,ｄ ,ｄ ,…を有する嵌合部３２に、内面側を加熱して軟化させた状態で上部開口４１の周辺を機械的に嵌合させて装着する時に、上部開口４１の周辺が浮上がった状態で嵌合して装着されることがない、この上部開口４１の周辺の内面側と口栓本体３０の融着リングｃの上面側とを、強固に熱融着して密封する、熱融着不良が発生する恐れがない液体紙容器用の口栓を提供することにある。
【課題を解決するための手段】
【０００７】
本発明の液体紙容器用の口栓は、天板の内面に液止めリングａを設けたネジ式のキャップ２０と、内面にプルリングｂ付の開封部３１と下部に融着リングｃとを設けて、この融着リングｃの上面側の下部外面に、上部に複数の繋止突起ｄ ,ｄ ,ｄ ,…を有する嵌合部３２を設けたネジ式の口栓本体３０と、から成る、前述した図２Ａ ,Ｃに示す液体紙容器用の口栓であって、また天板の内面に液止めリングａを設けたＴＥ機能２１付のネジ式のキャップ２０と、内面にプルリングｂ付の開封部３１と下部に融着リングｃとを設けて、この融着リングｃの上面側の下部外面に、上部に複数の繋止突起ｄ ,ｄ ,ｄ ,…を有する嵌合部３２を設けたネジ式の口栓本体３０と、から成る、前述した図２Ｂ ,Ｃに示すＴＥ機能付の液体紙容器用の口栓であって、通常の上面が平坦な又は切妻屋根形の、各種バリアー性が優れた紙積層材料製などの液体紙容器４０の上部開口４１に装着して、この上部開口４１の周辺の内面側と口栓本体３０の融着リングｃの上面側とを、強固に熱融着して密封する液体紙容器用の口栓において、
図１Ａ ,Ｂに示すように、ネジ式の口栓本体３０の嵌合部３２の外壁部分に、複数( 図１Ａ ,Ｂでは４個 )の繋止突起ｄ ,ｄ ,ｄ ,…の下部以外の外壁部分を切欠いて、複数の傾斜面ｅ ,ｅ ,ｅ ,…を設けたことを特徴とする液体紙容器用の口栓である。
【０００８】
本発明の液体紙容器用の口栓においては、通常の上面が平坦な又は切妻屋根形の、各種バリアー性が優れた紙積層材料製などの液体紙容器４０の上部開口４１に装着して、この上部開口４１の周辺の内面側と口栓本体３０の融着リングｃの上面側とを、強固に熱融着して密封する、前述した従来の、図２Ａ ,Ｃに示す液体紙容器用の口栓において、また前述した従来の、図２Ｂ ,Ｃに示すＴＥ機能付の液体紙容器用の口栓において、ネジ式の口栓本体３０の嵌合部３２の外壁部分に、複数の繋止突起ｄ ,ｄ ,ｄ ,…の下部以外の外壁部分を切欠いて、複数の傾斜面ｅ ,ｅ ,ｅ ,…を設けたことによって、
ネジ式の口栓本体３０の上部に複数の繋止突起ｄ ,ｄ ,ｄ ,…を有する嵌合部３２に、内面側を加熱して軟化させた状態で上部開口４１の周辺を機械的に嵌合させて装着する時に、図３Ｂに示すように、キャップ２０を被せた口栓本体３０と液体紙容器４０の上部開口４１との位置合せ( センタリングと言う )が僅かにずれた場合であっても、嵌合部３２の上部の複数の繋止突起ｄ ,ｄ ,ｄ ,…の部分は( 押下げて嵌合させる力が集中して上部開口４１の周辺端が僅かに変形して )無事に通過して、複数の傾斜面ｅ ,ｅ ,ｅ ,…に上部開口４１の周辺端が接触して押下げられて、このセンタリングの僅かなずれを修正しながら嵌合するために、上部開口４１の周辺が浮上がった状態で嵌合して装着されることが
ない、この上部開口４１の周辺の内面側と口栓本体３０の融着リングｃの上面側とを、強固に熱融着して密封する、熱融着不良が発生する恐れがない液体紙容器用の口栓を得ることができる。
【発明の効果】
【０００９】
以上、本発明の液体紙容器用の口栓においては、乳飲料やジュースや日本酒などを収容する、通常の上面が平坦な又は切妻屋根形の、各種バリアー性が優れた紙積層材料製などの液体紙容器４０の上部開口４１に、ネジ式の口栓本体３０の上部に複数の繋止突起ｄ ,ｄ ,ｄ ,…を有する嵌合部３２に、内面側を加熱して軟化させた状態で上部開口４１の周辺を機械的に嵌合させて装着する時に、上部開口４１の周辺が浮上がった状態で嵌合して装着されることがない、この上部開口４１の周辺の内面側と口栓本体３０の融着リングｃの上面側とを、強固に熱融着して密封する、熱融着不良が発生する恐れがない液体紙容器用の口栓を提供することができる。
【発明を実施するための最良の形態】
【００１０】
本発明の液体紙容器用の口栓における、ネジ式の口栓本体３０の嵌合部３２の外壁部分に、複数の繋止突起ｄ ,ｄ ,ｄ ,…の下部以外の外壁部分を切欠いて設ける、複数の傾斜面ｅ ,ｅ ,ｅ ,…については、ネジ式の口栓本体３０の上部に複数の繋止突起ｄ ,ｄ ,ｄ
,…を有する嵌合部３２に、内面側を加熱して軟化させた状態で上部開口４１の周辺を機械的に嵌合させて装着する時に、図３Ｂに示すように、キャップ２０を被せた口栓本体３０と液体紙容器４０の上部開口４１との位置合せ( センタリングと言う )が僅かにずれた場合であっても、複数の傾斜面ｅ ,ｅ ,ｅ ,…に上部開口４１の周辺端が接触して押下げられて、このセンタリングの僅かなずれを修正しながら嵌合し易いように、図１Ａ ,Ｂ ,図３Ｂに示す傾斜角度が４５〜６０度程度の複数の傾斜面ｅ ,ｅ ,ｅ ,…を、ネジ式の口栓本体３０の嵌合部３２の外壁部分に、複数の繋止突起ｄ ,ｄ ,ｄ ,…の下部以外の外壁部分を切欠いて設けることが好ましい。
【実施例１】
【００１１】
図１Ａは、本発明の実施例１における、液体紙容器用の口栓の断面図であって、図１Ｂは、液体紙容器用の口栓のネジ式の口栓本体３０の破断上面図である。また図３Ｂは、実施例１の液体紙容器用の口栓における、熱融着不良が発生しない状態を示す断面説明図である。
【００１２】
すなわち、天板の内面に通常の液止めリングａを設けた、外径２４ｍｍで高さ１６ｍｍのネジ式のキャップ２０と、内面に通常のプルリングｂ付の開封部３１と下部に外径３６ｍｍの融着リングｃとを設けて、この融着リングｃの上面側の下部外面に、上部に横幅１.５ｍｍで突起( 肉厚 )０.６ｍｍの４個の繋止突起ｄ ,ｄ ,ｄ ,ｄを有する外壁径２５ｍｍの嵌合部３２を設けた、内径１８ｍｍで高さ２０ｍｍのネジ式の口栓本体３０と、から成る、前述した従来の、図２Ａ ,Ｃに示す液体紙容器用の口栓において、
ネジ式の口栓本体３０の外壁径２５ｍｍの嵌合部３２の外壁部分に、４個の繋止突起ｄ
,ｄ ,ｄ ,ｄの下部以外の外壁部分を切欠いて、傾斜角度が５０度の４面の傾斜面ｅ ,ｅ
,ｅ ,ｅを設けた、図１Ａ ,Ｂに示す実施例１の液体紙容器用の口栓を、従来と同様のポリエチレン樹脂を用いた射出成形方法で作製した。
【００１３】
次に、芳醇な香りを有する２０００ｍｌの日本酒を収容する、図４Ｂに示す収容部の縦と横と高さとが８５×８５×２７５ｍｍの通常の上面が切妻屋根形の、各種バリアー性が優れた紙積層材料製の液体紙容器４０( のブランク )の上部開口４１に、作製したネジ式のキャップ２０とネジ式の口栓本体３０とから成る、図１Ａ ,Ｂに示す実施例１の液体紙容器用の口栓を装着して、この上部開口４１の周辺の内面側と口栓本体３０の融着リングｃの上面側とを、強固に熱融着して密封した後に、上面が切妻屋根形の液体紙容器専用の
製箱充填工程で、日本酒を収容しながら製箱したところ、簡単に口栓本体３０のプルリングｂを引張って開封することができる、液漏れなどの恐れがない液体紙容器用の口栓( 及び液体紙容器４０ )を得ることができた。
【００１４】
本実施例１の液体紙容器用の口栓においては、通常の上面が切妻屋根形の、各種バリアー性が優れた紙積層材料製の液体紙容器４０の上部開口４１に装着して、この上部開口４１の周辺の内面側と口栓本体３０の融着リングｃの上面側とを、強固に熱融着して密封する、前述した従来の、図２Ａ ,Ｃに示す液体紙容器用の口栓において、ネジ式の口栓本体３０の外壁径２５ｍｍの嵌合部３２の外壁部分に、４個の繋止突起ｄ ,ｄ ,ｄ ,ｄの下部以外の外壁部分を切欠いて、傾斜角度が５０度の４面の傾斜面ｅ ,ｅ ,ｅ ,ｅを設けたことによって、
ネジ式の口栓本体３０の、上部に横幅１.５ｍｍで突起( 肉厚 )０.６ｍｍの４個の繋止突起ｄ ,ｄ ,ｄ ,ｄを有する外壁径２５ｍｍの嵌合部３２に、内面側を加熱して軟化させた状態で上部開口４１の周辺を機械的に嵌合させて装着する時に、図３Ｂに示すように、キャップ２０を被せた口栓本体３０と液体紙容器４０の上部開口４１との位置合せ( センタリングと言う )が僅かにずれた場合であっても、上部の４個の繋止突起ｄ ,ｄ ,ｄ ,ｄの部分は( 押下げて嵌合させる力が集中して上部開口４１の周辺端が僅かに変形して )無事に通過して、傾斜角度が５０度の４面の傾斜面ｅ ,ｅ ,ｅ ,ｅに上部開口４１の周辺端が接触して押下げられて、このセンタリングの僅かなずれを修正しながら嵌合するために、上部開口４１の周辺が浮上がった状態で嵌合して装着されることがない、この上部開口４１の周辺の内面側と口栓本体３０の融着リングｃの上面側とを、強固に熱融着して密封することができる、熱融着不良が発生して、通常の上面が切妻屋根形の液体紙容器４０の液漏れなどの原因になる恐れがない液体紙容器用の口栓を得ることができた。
【産業上の利用可能性】
【００１５】
特になし。
【図面の簡単な説明】
【００１６】
【図１】本発明の実施例１における、図１Ａは、液体紙容器用の口栓の断面図であって、図１Ｂは、液体紙容器用の口栓のネジ式の口栓本体３０の破断上面図である。
【図２】図２Ａは、従来の液体紙容器用の口栓の断面図であって、図２Ｂは、従来のＴＥ( 不正開栓防止 )機能付の液体紙容器用の口栓の断面図であって、図２Ｃは、従来の( ＴＥ機能付の )液体紙容器用の口栓のネジ式の口栓本体３０の破断上面図である。
【図３】従来と実施例１との液体紙容器用の口栓における、図３Ａ ,Ｂは、熱融着不良が発生する状態と熱融着不良が発生しない状態とを示す断面説明図である。
【図４】図４Ａ ,Ｂは、従来の( ＴＥ機能付の )液体紙容器用の口栓を装着する、上面が平坦な又は切妻屋根形の液体紙容器４０の斜視図である。
【符号の説明】
【００１７】
２０  …キャップ
２１  …ＴＥ機能
３０  …口栓本体
３１  …開封部
３２  …嵌合部
４０  …液体紙容器
４１  …上部開口
ａ    …液止めリング
ｂ    …プルリング
ｃ    …融着リング
ｄ    …繋止突起
ｅ    …傾斜面
【図１】
2005335778.tif 000003
【図２】
2005335778.tif 000004
【図３】
2005335778.tif 000005
【図４】
2005335778.tif 000006